(57)【要約】【課題】所定の波長帯域毎に回折角を離散化することで、波長分散軸方向でのポート切り替えが可能な波長選択スイッチを提供すること。【解決手段】入力ポート１００１、レンズ１００２、短ＦＳＲ回折格子１００３、回折格子１００５、レンズ１００６、第１のＭＥＭＳミラー１００７、凹面ミラー１００８、第２のＭＥＭＳミラー１００９、レンズアレイ１０１０、出力ポートアレイ１０１１から構成されている。入力された光は入力ポート１００１、レンズ１００２、短ＦＳＲ回折格子１００３、回折格子１００５、レンズ１００６、第１のＭＥＭＳミラー１００７、凹面ミラー１００８、第２のＭＥＭＳミラー１００９、レンズアレイ１０１０の順に光が通過し、出力ポートアレイ１０１１に出力される。【選択図】図１
2016001241.tif 000002
【特許請求の範囲】
【請求項１】
光が入出力可能な少なくとも１つのポートを有する第１の入出力部と、
前記第１の入出力部から入射した光の出射角度が、所定の波長帯域毎に異なり、かつ、各所定の波長帯域内では同じとなるように、入射した光を波長分散する波長分散部と、
前記波長分散部から入射した光の反射角度又は透過角度を可変に偏向させる偏向部と、
前記偏向部に対して光を入出力可能な少なくとも１つのポートを有する第２の入出力部と、
を備えたことを特徴とする波長選択スイッチ。
【請求項２】
前記第２の入出力部が有する少なくとも１つのポートは、前記偏向部から出射された光が前記波長分散部を経て入力可能であることを特徴とする請求項１に記載の波長選択スイッチ。
【請求項３】
波長分散部は、第１および第２の波長分散素子部を有し、
前記第１の波長分散素子部は、自由スペクトラム領域（ＦＳＲ）が前記第２の波長分散素子部よりも短く、波長分散方向が前記第２の波長分散素子部の波長分散を相殺する方向であることを特徴とする請求項１又は２に記載の波長選択スイッチ。
【請求項４】
前記第１の波長分散素子部は、ＡＷＧを含むことを特徴とする請求項３に記載の波長選択スイッチ。
【請求項５】
前記第１の波長分散素子部は、ＶＩＰＡを含むことを特徴とする請求項３に記載の波長選択スイッチ。
【請求項６】
前記波長分散部は、入射した光の出射角度が所定の波長帯域毎に一定となる分散能を有していることを特徴とする請求項１乃至５のいずれかに記載の波長選択スイッチ。
【発明の詳細な説明】
【技術分野】
【０００１】
本発明は、光通信システムのノード等に用いられる波長選択スイッチに関する。
【背景技術】
【０００２】
近年、光通信の分野では、１つの波長に１つの光信号を対応させ、波長多重して伝送するＷＤＭ（Ｗａｖｅｌｅｎｇｔｈ  Ｄｉｖｉｓｉｏｎ  Ｍｕｌｔｉｐｌｅｘｉｎｇ）技術により、一本の光ファイバにより大容量の光伝送を行うことが実現されている。このような光通信技術の発展に伴って、光信号を電気信号等に変換することなく経路を切り替える光スイッチが脚光を浴びている。なかでも、数十もの波長から任意の波長を選択して複数の出力ファイバのうちの何れかへ出力可能な波長選択型光スイッチが提案されている（例えば、特許文献１参照）。
【０００３】
図６に、従来の波長選択型光スイッチ（ＷＳＳ：Ｗａｖｅｌｅｎｇｔｈ  Ｓｅｌｅｃｔｉｖｅ  Ｓｗｉｔｃｈ）の構成を示す。図６に示す波長選択型光スイッチは、ファイバアレイ００１と、マイクロレンズアレイ００２と、集光レンズ００３、円筒レンズ００４、第１主レンズ００５、回折格子００６、第２主レンズ００７、ＭＥＭＳミラーアレイ００８を備えており、これらがこの順番でｚ方向に沿って配列した構成を有する。
【０００４】
ファイバアレイ００１は、入力光を出射する入力ポートと出力光が入射される出力ポートに分けられる。図６に示すＷＳＳにおいては、１つの入力ポート００１１と４つの出力ポート００１２が設けられている。
【０００５】
マイクロレンズアレイ００２は、ファイバアレイ００１の各ポートから出射したビーム形状を整形し、コリメート光に変換する。
【０００６】
集光レンズ００３４は、各ファイバから出射した光をある１点００９（以下Ａ点）にて主光線を交差させるものである。
【０００７】
円筒レンズ００４は、Ａ点００９におけるビーム形状を楕円ビームにするものである。
第１主レンズ００５、第２主レンズ００７は４ｆ光学系となっている。Ａ点００９と第１主レンズ００５との間の距離は、第１主レンズ００５の焦点距離ｆ１と同じであり、第２主レンズ００７とＭＥＭＳミラーアレイ００８との間の距離は、第２主レンズ００７の焦点距離ｆ２と同じである。４ｆ光学系であるため、Ａ点００９で形成されたビーム形状がＭＥＭＳミラーアレイ００８の各ミラー上に投影される。このときビーム径は焦点距離比ｆ２／ｆ１倍に拡大、縮小される。
【０００８】
回折格子００６は波長多重された信号光を波長ごとに分離するものである。波長ごとに分離された信号光は対応するＭＥＭＳミラーアレイ００８の各ミラーに照射される。ＭＥＭＳミラーアレイ００８は、照射された各信号光主光線の角度θｘを変えて反射するものである。反射された信号光の出射角度が変わることで、Ａ点００９での入射角度が変わり、入射する出力ポート００１２を変えることができる。
【０００９】
この従来の波長選択スイッチは、波長ごとに割り当てられたＭＥＭＳミラーアレイ００８の各ミラーの出射角度を変えることで、入力ポート０１１から出射された信号光が入射する出力ポート０１２を波長ごとに切り替えることができる。
【先行技術文献】
【特許文献】
【００１０】
【特許文献１】特開２００９−１２２４９２号公報
【発明の概要】
【発明が解決しようとする課題】
【００１１】
従来、波長選択スイッチでは、スイッチングポート数と透過帯域特性を両立させるために、ＭＥＭＳミラーアレイ等の波面制御素子上のビーム形状を楕円にしていた。スイッチングポート数を稼ぐには波面制御素子上のビーム径を大きくする、もしくは波面制御素子から出射する光の偏向角を大きくする必要があった。
【００１２】
しかしながら、波面制御素子は必要なｃｈ数分に偏向部をアレイ化する必要があるため、スイッチングポート数を増やしていくと、設計上の制約から偏向角を大きくすることは困難になっていく。
【００１３】
また、光が波長ごとに分かれて波面制御素子に入射するとき、波長分散軸方向にビーム径が大きいと、隣接するｃｈに対応した素子に光が漏れ、透過帯域特性が劣化してしまうため、スイッチングポート数を増やすためにはビーム径を小さくする必要がある。加えて、波長分散方向に偏向させると、波面制御素子の偏向部のエッジに照射されていた光が回折を起こしてしまい、透過帯域端にてラビットイヤーと呼ばれる急峻なピークが発生する。そのため、現実的には波長分散軸方向はビーム径を小さく、波長分散軸と直交するスイッチング軸のビーム径を大きくし、スイッチング軸方向の偏向みでスイッチングを行っていた。
【００１４】
このように従来の波長選択スイッチには、スイッチングポート数に制限があるという課題があった。
【００１５】
本発明は、このような課題に鑑みてなされたもので、その目的とするところは、所定の波長帯域毎に回折角を離散化することで、波長分散軸方向でのポート切り替えが可能な波長選択スイッチを提供することにある。
【課題を解決するための手段】
【００１６】
上記の課題を解決するために、本発明は、波長選択スイッチであって、光が入出力可能な少なくとも１つのポートを有する第１の入出力部と、前記第１の入出力部から入射した光の出射角度が、所定の波長帯域毎に異なり、かつ、各所定の波長帯域内では同じとなるように、入射した光を波長分散する波長分散部と、前記波長分散部から入射した光の反射角度又は透過角度を可変に偏向させる偏向部と、前記偏向部に対して光を入出力可能な少なくとも１つのポートを有する第２の入出力部と、を備えたことを特徴とする。
【００１７】
請求項２に記載の発明は、請求項１に記載の波長選択スイッチにおいて、前記第２の入出力部が有する少なくとも１つのポートは、前記偏向部から出射された光が前記波長分散部を経て入力可能であることを特徴とする。
【００１８】
請求項３に記載の発明は、請求項１又は２に記載の波長選択スイッチにおいて、波長分散部は、第１および第２の波長分散素子部を有し、前記第１の波長分散素子部は、自由スペクトラム領域（ＦＳＲ）が前記第２の波長分散素子部よりも短く、波長分散方向が前記第２の波長分散素子部の波長分散を相殺する方向であることを特徴とする。
【００１９】
請求項４に記載の発明は、請求項３に記載の波長選択スイッチにおいて、前記第１の波長分散素子部は、ＡＷＧを含むことを特徴とする。
【００２０】
請求項５に記載の発明は、請求項３に記載の波長選択スイッチにおいて、前記第１の波長分散素子部は、ＶＩＰＡを含むことを特徴とする。
【００２１】
請求項６に記載の発明は、請求項１乃至５のいずれかに記載の波長選択スイッチにおいて、前記波長分散部は、入射した光の出射角度が所定の波長帯域毎に一定となる分散能を有していることを特徴とする。
【発明の効果】
【００２２】
波長分散方向のビーム径を大きくできるため、波長分散方向でのポート切り替えが可能なため、ポート数を増加させることができる。
【図面の簡単な説明】
【００２３】
【図１】（ａ）、（ｂ）は、本発明の実施形態１に係る波長選択スイッチの構成を示す図である。
【図２】第１のＭＥＭＳミラーアレイから出力ポートアレイの機能部と等価な代替の構成を示す図である。
【図３】（ａ）は、使用波長帯域に対してＦＳＲ（自由スペクトル領域）が狭い短ＦＳＲ回折格子の回折角を示す図であり、（ｂ）は、ＦＳＲが使用波長帯域よりも広いバルクの回折格子の回折角を示す図であり、（ｃ）は、２つのＦＳＲの異なる回折格子の分散能を部分的に一致させた、両回折格子による回折角を示す図である。
【図４】（ａ）、（ｂ）は、本発明の実施形態２に係る波長選択スイッチの構成を示す図である。
【図５】（ａ）、（ｂ）は、本発明の実施形態３に係る波長選択スイッチの構成を示す図である。
【図６】従来の波長選択型光スイッチの構成を示す図である。
【発明を実施するための形態】
【００２４】
以下、本発明の実施の形態について、詳細に説明する。
【００２５】
（実施形態１）
図１（ａ）、（ｂ）に、本発明の実施形態１に係る波長選択スイッチの構成を示す。図１（ａ）は上面図であり、図１（ｂ）は側面図である。
【００２６】
実施形態１は、入力ポート１００１、レンズ１００２、短ＦＳＲ回折格子１００３、回折格子１００５、レンズ１００６、第１のＭＥＭＳミラー１００７、凹面ミラー１００８、第２のＭＥＭＳミラー１００９、レンズアレイ１０１０、出力ポートアレイ１０１１から構成されている。
【００２７】
入力された光は入力ポート１００１、レンズ１００２、短ＦＳＲ回折格子１００３、回折格子１００５、レンズ１００６、第１のＭＥＭＳミラー１００７、凹面ミラー１００８、第２のＭＥＭＳミラー１００９、レンズアレイ１０１０の順に光が通過し、出力ポートアレイ１０１１に出力される。
【００２８】
第１のＭＥＭＳミラーアレイ１００７に照射された光は、スイッチング軸、波長分散軸ともに偏向でき、出力ポートアレイ１０１１は、スイッチング軸方向に３列、波長分散軸方向に４列の計１２個の出力ポートから構成されている。
【００２９】
図２に、第１のＭＥＭＳミラーアレイ１００７から出力ポートアレイ１１０１の機能部と等価な代替の構成を示す。凹面ミラー１００８がレンズ１０１２に変わり、透過型になっている。凹面ミラー１００８又はレンズ１０１２はビーム形状を整形する機能を持っているが、伝搬距離とビーム径によっては無くてもよい。
【００３０】
また、第１および第２のＭＥＭＳミラー１００７、１００９を透過型の波面制御素子として、第１のＭＥＭＳミラーアレイ１００７から出力ポートアレイ１１０１の機能部を等価な代替の構成としてもよい。
【００３１】
また、短ＦＳＲ回折格子１００３、回折格子１００５は、それぞれ複数の波長分散素子から構成されていてもよい。
【００３２】
図３（ａ）に、使用波長帯域に対してＦＳＲ（自由スペクトル領域）が狭い短ＦＳＲ回折格子の回折角を示す。この回折格子は、使用波長帯域に対してＦＳＲ（自由スペクトル領域）が狭く、使用波長帯域内で波長の変化に対して周期的に回折角が折り返している。図３（ｂ）に、ＦＳＲが使用波長帯域よりも広いバルクの回折格子の回折角を示す。この回折格子は、ＦＳＲが使用波長帯域よりも広く、使用波長帯域内にて回折角が単方向に増減する。
【００３３】
これら２つのＦＳＲの異なる回折格子の波長と回折角を表す線の傾きである分散能の大きさを部分的に一致させ、波長分散方向を反対にし、分散軸が一致するように組み合わせた両回折格子に光を入射させると、図３（ｃ）に示すように、回折角が波長の変化に対して周期的に一定となって階段状になる。本発明では、この特性を利用して短ＦＳＲに対応する波長帯域毎に離散的にビームを分散させる。
【００３４】
離散化されたビームは、離散的に変化する回折角に従って配置された第１のＭＥＭＳミラーアレイ１００７の各ミラーに照射される。離散化されたビームは、短ＦＳＲに対応する波長帯域内では分散が相殺され、離散化されたビームはＭＥＭＳミラーアレイ上の照射領域も離散的になることから、第１のＭＥＭＳミラーアレイ１００７の各ミラーの中央に照射すると、隣接ミラーに光が漏れない。そのため、従来の波長選択スイッチのように設計段階で波長分散方向のビーム径を小さくする必要がない。
【００３５】
また、第１のＭＥＭＳミラーアレイ１００７の各ミラーのエッジをビーム照射領域の間に配置することができるので、波長分散方向でのミラーエッジにも光が照射されないため、波長分散方向に偏向してもラビットイヤーを発生させないことができる。
【００３６】
＜スイッチングについて＞
第１のＭＥＭＳミラーアレイ１００７で偏向されたビームは凹面ミラー１００８又はレンズ１０１２を介して第２のＭＥＭＳミラーアレイ１００９に照射される。第２のＭＥＭＳミラーアレイ１００９に照射されビームは、第２のＭＥＭＳミラーアレイ１００９にて角度と位置を再度調整され、出力ポートアレイ１１０１の各出力ポートに照射される。第２のＭＥＭＳミラーアレイ１００９は各出力ポートに照射する際の光の角度を調整する機能を有しており、結合効率を向上させることができる。
【００３７】
このように、本発明の波長選択スイッチでは、ＦＳＲに対応する波長帯域単位でのポート切り替えを可能にするものである。各出力ポートにはＦＳＲに対応する波長帯域単位の信号が出力される。
【００３８】
偏向された光は凹面ミラー１００８を介して第２のＭＥＭＳミラーアレイ１００９に照射する。第２のＭＥＭＳミラーアレイ１００９に再度照射された光はレンズアレイ１０１０の各レンズを介して出力ポートアレイ１０１１の各出力ポートに照射される。
【００３９】
本発明の波長選択スイッチは、入力と出力は逆になっても機能するため、１入力多出力、および多入力１出力の両機能を有する。
【００４０】
このように、本発明の本実施形態では、単ｃｈ分の信号がラビットイヤー発生を危惧することなく２次元に配置した出力ポートにスイッチングでき、偏向角の必要角度を小さくできるため、波長選択スイッチにおいてポート数を大幅に増やすことができる。
【００４１】
（実施形態２）
図４（ａ）、（ｂ）に、本発明の実施形態２に係る波長選択スイッチの構成を示す。図４（ａ）は上面図であり、図４（ｂ）は側面図である。
【００４２】
実施形態２は、入出力ポート群２００１、レンズ２００２、短ＦＳＲに設計されたＶＩＰＡ（Ｖｉｒｔｕａｌｌｙ  ｉｍａｇｅｄ  ｐｈａｓｅｄ  ａｒｒａｙ）２００３、レンズ２００４、回折格子２００５、レンズ２００６、第１のＭＥＭＳミラーアレイ２００７、凹面ミラー２００８、第２のＭＥＭＳミラーアレイ２００９、レンズアレイ２０１０、入出力ポートアレイ２０１１から構成されている。
【００４３】
入力された光は２つの光路を通る。１つ目は、入出力ポートから出射された光が、レンズ２００２、ＶＩＰＡ２００３、レンズ２００４、回折格子２００６、レンズ２００６、第１のＭＥＭＳミラーアレイ２００７、凹面ミラー２００８、第２のＭＥＭＳミラーアレイ２００９、レンズアレイ２０１０を通り、入出力ポートアレイに出射される。２つ目の光路は、入出力ポートから出射された光が、レンズ２００２、ＶＩＰＡ２００３、レンズ２００４、回折格子２００６、レンズ２００６、第１のＭＥＭＳミラーアレイ２００７、回折格子２００６、レンズ２００４、ＶＩＰＡ２００３、レンズ２００２、を通り、入出力ポート２００１に照射される。
【００４４】
第１のＭＥＭＳミラーアレイ２００７に照射された光は、スイッチング軸、波長分散軸ともに偏向でき、出力ポートアレイ２０１１は、スイッチング軸方向に３列、波長分散軸方向に４列の計１２個の出力ポートから構成されている。
【００４５】
実施形態１と同様に、凹面ミラー２００８に替えてレンズとすることで、透過型にすることもできる。凹面ミラー２００８又はレンズはビーム形状を整形する機能を持っているが、伝搬距離とビーム径によっては無くてもよい。
【００４６】
また、入力された光が第１の光路を通る場合、第１および第２のＭＥＭＳミラー２００７、２００９を透過型の波面制御素子として、第１のＭＥＭＳミラーアレイ２００７から出力ポートアレイ２１０１の機能部を等価な代替の構成としてもよい。
【００４７】
また、回折格子２００５は、複数の波長分散素子から構成されていても良い。
【００４８】
実施形態１と同様に離散化されたビームは、離散的に変化する回折角に従って配置された第１のＭＥＭＳミラーアレイ２００７の各ミラーに照射される。離散化されたビームは、短ＦＳＲに対応する波長帯域内では分散が相殺され、離散化されたビームはＭＥＭＳミラーアレイ上の照射領域も離散的になることから、第１のＭＥＭＳミラーアレイ２００７の各ミラーの中央に照射すると、隣接ミラーに光が漏れない。そのため、従来の波長選択スイッチのように設計段階で波長分散方向のビーム径を小さくする必要がない。
【００４９】
また、第１のＭＥＭＳミラーアレイ２００７の各ミラーのエッジをビーム照射領域の間に配置することができるので、波長分散方向でのミラーエッジにも光が照射されないため、波長分散方向に偏向してもラビットイヤーを発生させないことができる。
【００５０】
＜スイッチングについて＞
本実施形態は、スイッチングに２つのモードを有している。
【００５１】
実施形態１と同様のスイッチングについては、ＭＥＭＳミラーアレイ２００７で偏向された光は凹面ミラー２００８を介してＭＥＭＳミラーアレイ２００９に照射される。
【００５２】
第２のＭＥＭＳミラーアレイ２００９に照射されビームは、第２のＭＥＭＳミラーアレイ２００９にて角度と位置を再度調整され、出力ポートアレイ１１０１の各出力ポートに照射される。第２のＭＥＭＳミラーアレイ２００９は各出力ポートに照射する際の光の角度を調整する機能を有しており、結合効率を向上させることができる。
【００５３】
このように、本発明の波長選択スイッチでは、ＦＳＲに対応する波長帯域単位でのポート切り替えを可能にするものである。各出力ポートにはＦＳＲに対応する波長帯域単位の信号が出力される。
【００５４】
偏向された光は凹面ミラー２００８を介して第２のＭＥＭＳミラーアレイ２００９に照射する。第２のＭＥＭＳミラーアレイ２００９に再度照射された光はレンズアレイ２０１０の各レンズを介して出力ポートアレイ２０１１の各出力ポートに照射される。
【００５５】
異なるモードのスイッチングとしては、ＭＥＭＳミラーアレイ２００７で偏向された光はレンズ２００６、回折格子２００５、レンズ２００４、ＶＩＰＡ２００３、レンズ２００２を介して、入出力ポート２００１の出力ポートに照射される。このスイッチングは回折格子とＶＩＰＡを２回通過するため各ｃｈごとの信号を合波するので出力ポートに複数ｃｈ分の信号を出力させることができる。上記モードの他に合波させる出力ポートを別途追加できる。
【００５６】
上記２モードを切り替えるために、偏向素子の偏向角度の差を利用している。実施形態２では、第１のＭＥＭＳミラーアレイ２００７のスイッチング軸方向の偏向角度を用いて切り替えているが、波長分散軸方向の偏向角度を用いて切り替えてもよい。
【００５７】
このように、本発明の本実施形態では、単ｃｈ分の信号がラビットイヤー発生を危惧することなく２次元に偏向しスイッチングでき、偏向角の必要角度を小さくできる。また、実施例１−１に比べて合波させる出力ポートを追加できるため、単ｃｈを出力するポートと複数ｃｈを出力するポートがある波長選択スイッチにおいてポート数を大幅に増やすことができる。
【００５８】
（実施形態３）
図５（ａ）、（ｂ）に、本発明の実施形態３に係る波長選択スイッチの構成を示す。図５（ａ）は上面図であり、図５（ｂ）は側面図である。
【００５９】
実施形態３は、短ＦＳＲに設計されたＡＷＧ３００１、回折格子３００２、レンズ３００３、第１のＭＥＭＳミラーアレイ３００４、凹面ミラー３００５、第２のＭＥＭＳミラーアレイ３００６、レンズアレイ３００７、出力ポートアレイ３００８から構成されている。
【００６０】
入力された光はＡＷＧ３００１、回折格子３００２、レンズ３００３、第１のＭＥＭＳミラーアレイ３００４、凹面ミラー３００５、第２のＭＥＭＳミラーアレイ３００６、レンズアレイ３００７の順に光が通過し、出力ポートアレイ３００８に出力される。
【００６１】
第１のＭＥＭＳミラーアレイ３００４に照射された光は、スイッチング軸、波長分散軸ともに偏向でき、出力ポートアレイ３００８は、スイッチング軸方向に３列、波長分散軸方向に４列の計１２個の出力ポートから構成されている。
【００６２】
実施形態１と同様に、凹面ミラー３００５に替えてレンズとすることで、透過型にすることもできる。凹面ミラー３００５又はレンズはビーム形状を整形する機能を持っているが、伝搬距離とビーム径によっては無くてもよい。
【００６３】
また、第１および第２のＭＥＭＳミラー３００４、３００６を透過型の波面制御素子として、第１のＭＥＭＳミラーアレイ３００４から出力ポートアレイ３００８の機能部を等価な代替の構成としてもよい。
【００６４】
また、回折格子３００２は、複数の波長分散素子から構成されていてもよい。
【００６５】
実施形態１と同様に離散化されたビームは、離散的に変化する回折角に従って配置された第１のＭＥＭＳミラーアレイ３００４の各ミラーに照射される。離散化されたビームは、短ＦＳＲに対応する波長帯域内では分散が相殺され、離散化されたビームはＭＥＭＳミラーアレイ上の照射領域も離散的になることから、第１のＭＥＭＳミラーアレイ３００４の各ミラーの中央に照射すると、隣接ミラーに光が漏れない。そのため、従来の波長選択スイッチのように設計段階で波長分散方向のビーム径を小さくする必要がない。
【００６６】
また、第１のＭＥＭＳミラーアレイ３００４の各ミラーのエッジをビーム照射領域の間に配置することができるので、波長分散方向でのミラーエッジにも光が照射されないため、波長分散方向に偏向してもラビットイヤーを発生させないことができる。
【００６７】
＜スイッチングについて＞
第１のＭＥＭＳミラーアレイ３００４で偏向された光は凹面ミラー３００５又はレンズを介して第２のＭＥＭＳミラーアレイ３００６に照射される。第２のＭＥＭＳミラーアレイ３００６に照射されビームは、第２のＭＥＭＳミラーアレイ３００６にて角度と位置を再度調整され、出力ポートアレイ３００８の各出力ポートに照射される。第２のＭＥＭＳミラーアレイ３００６は各出力ポートに照射する際の光の角度を調整する機能を有しており、結合効率を向上させることができる。
【００６８】
このように、本発明の波長選択スイッチでは、ＦＳＲに対応する波長帯域単位でのポート切り替えを可能にするものである。各出力ポートにはＦＳＲに対応する波長帯域単位の信号が出力される。
【００６９】
偏向された光は凹面ミラー３００５を介して第２のＭＥＭＳミラーアレイ３００６に照射する。第２のＭＥＭＳミラーアレイ３００６に再度照射された光はレンズアレイ３００７の各レンズを介して出力ポートアレイ３００８の各出力ポートに照射される。
【００７０】
本発明の波長選択スイッチは、入力と出力は逆になっても機能するため、１入力多出力、および多入力１出力の両機能を有する。
【００７１】
このように、本発明の本実施形態では、単ｃｈ分の信号がラビットイヤー発生を危惧することなく２次元に偏向しスイッチングでき、偏向角の必要角度を小さくできるため、波長選択スイッチにおいてポート数を大幅に増やすことができる。
【００７２】
実施形態１〜３では、波面制御素子としてＭＥＭＳミラーアレイを使用したが、これに替えて液晶やＬＣＯＳ（Ｌｉｑｕｉｄ  ｃｒｙｓｔａｌ  ｏｎ  ｓｉｌｉｃｏｎ）等の他の波面制御素子を使用してもよい。
【符号の説明】
【００７３】
００１  ファイバアレイ
００２  マイクロレンズアレイ
００３  集光レンズ
００４  円筒レンズ
００５  第１主レンズ
００６  回折格子
００７  第２主レンズ
００８  ＭＥＭＳミラーアレイ
００１１  入力ポート
００１２  出力ポート
１００１  入力ポート
１００２、３００３  レンズ
１００３  短ＦＳＲ回折格子
１００５、２００５、３００２  回折格子
１００６、１０１２、２００２、２００４、２００６  レンズ
１００７、１００９、２００７、２００９、３００４、３００６  ＭＥＭＳミラー
１００８、２００８、３００５  凹面ミラー
１０１０、２０１０、３００７  レンズアレイ
１０１１、２０１１、３００８  出力ポートアレイ
２００１  入出力ポートアレイ
２００３  ＶＩＰＡ
３００１  ＡＷＧ
【図１】
2016001241.tif 000003
【図２】
2016001241.tif 000004
【図３】
2016001241.tif 000005
【図４】
2016001241.tif 000006
【図５】
2016001241.tif 000007
【図６】
2016001241.tif 000008